(57)【要約】      （修正有）【課題】打ち残し部分３４を設けて釘３１が打てる、釘打機２１に取り付けて使用する釘打ち込み深さ調整具を提供する。【解決手段】（イ）筒１の上底２と下底３を貫く孔１１と孔１２を設ける。（ロ）孔１１と孔１２は連結されていて、その断面形状は凸形である。（ハ）孔１１は、釘打機２１の釘射出部２２の先端部２３が挿入できる形状である。（ニ）孔１２は円柱形状で、釘射出部２２の釘射出口２４から射出された釘３１が移動できる位置に設ける。【選択図】図６
0003114564.tif 000002
【実用新案登録請求の範囲】
【請求項１】
（イ）筒１の上底２と下底３を貫く孔１１と孔１２を設ける。
（ロ）孔１１と孔１２は連結されていて、その断面形状は凸形である。
（ハ）孔１１は、釘打機２１の釘射出部２２の先端部２３が挿入できる形状である。
（ニ）孔１２は円柱形状で、釘射出部２２の釘射出口２４から射出された釘３１が移動できる位置に設ける。
以上のごとく構成された、筒状の釘打ち込み深さ調整具。
【考案の詳細な説明】
【技術分野】
【０００１】  この考案は、エアーコンプレッサーによる圧縮空気を利用した釘打機２１で板３２に釘３１を打ち付ける場合、釘打機２１に取り付けて使用する、釘打ち込み深さ調整具に関するものである。
【背景技術】
【０００２】  従来のエアーコンプレッサーによる圧縮空気を利用した釘打機２１は、次の工程で釘３１が板３２に打ち込まれる。（図６参照）
１：釘射出口２４を板３２に直接押し付ける。
２：引き金（図示しない）を引く。
３：釘３１全体が釘打機２１の釘射出口２４から出るまで、圧縮空気の力によって、釘３１の頭をピストン２５（バネの場合もある）が押し続ける。
この様に、釘射出口２４を板３２に直接押し付けるため、板３２と釘打機２１の釘射出口２４の間の隙間がなく、釘３１本体がほとんど板３２に打ち込まれる。
【考案の開示】
【考案が解決しようとする課題】
【０００３】  釘３１本体がほとんど板３２に打ち込まれるため、色々な欠点が生じる。
この色々な欠点の主な例を説明する。
（イ）造作サイディング３３等の仕上げ材に釘３１を打ち込む場合であるが、釘打機２１を使用すると、板３２の種類（桧・杉など）、板３２の状態（節、曲がり、含水率、温度など）によって、図１のように、釘３１が板３２に打ち込まれ過ぎて、サイディング３３に窪み（傷）３５を生じてしまう危険がある。
この危険を考えると、釘打機２１を使うことができなくなるので、釘３１をハンマーで１本ずつ打ち付けていくことになる。この作業工程が実に大変である。釘３１を釘入れ袋から手で１本取り出し、その釘３１をハンマーで打ち付ける。１本目の釘３１が打ち終わると、釘入れ袋から手で２本目の釘３１を取り出し、その釘３１をハンマーで打ち付ける。この様な工程で作業を続ける訳だが、作業効率が極端に落ちてしまう。【０００４】（ロ）コンクリート型枠（パネル）の作製であるが、これを図３、図４で説明する。
１：まず、得ようとするコンクリートの形に合わせた型枠Ａ４１，Ｂ４２，Ｃ４３・・・をベニヤ板（５１，５２，５３・・・）と桟木（６１，６２，６３、・・・）で作製する。型枠Ａ４１を作製するには、ベニヤ板５１と桟木６１，６２を用意し、ベニヤ板５１の両端にそれぞれ桟木６１，６２を、釘打機２１で釘３１を打ち付ける。この様にして、型枠Ａ４１，Ｂ４２，Ｃ４３・・を作製する。（図３）
２：型枠Ａ４１，Ｂ４２を連結する場合、型枠Ａ４１の桟木６２と型枠Ｂ４２の桟木６３を連結させれば良いので、桟木６２と桟木６３を、釘打機２１で釘３１を打ち付ける。この様にして、型枠Ａ４１，Ｂ４２，Ｃ４３・・を連結させていく。（図４）
３：次に、型枠Ａ４１，Ｂ４２，Ｃ４３・・に諸部品を組み合わせて、コンクリート枠を完成させ、その中に生コンクリートを流し込む。
４：流し込んだ生コンクリートが乾いたら、連結した型枠Ａ４１，Ｂ４２，Ｃ４３・・を解体する。つまり、桟木と桟木を連結させている釘３１を抜き取っていかなければならない。これは実に手間のかかる大変な作業である。それは、釘打機２１を使用して釘３１を打ち込むため、釘３１本体がほとんど板３２に打ち込まれてしまい、釘抜き具（バール）が使用しにくいからである。
この解体作業を考えると、釘打機２１を使わずに、釘３１をハンマーで１本ずつ打ち付けていくことになる。手作業であれば、打ち残し部分３４を設けながら釘３１を打っていくことができるからである。この作業工程が実に大変である。釘３１を釘入れ袋から手で１本取り出し、その釘３１をハンマーで打ち付ける。１本目の釘３１が打ち終わると、釘入れ袋から手で２本目の釘３１を取り出し、その釘３１をハンマーで打ち付ける。この様な工程で作業を続ける訳だが、作業効率が極端に落ちてしまう。
つまり、釘打機２１を使っても、使わなくても、作業効率が極端に落ちてしまう。
本考案は、これらの欠点を解決するためになされたものである。
【課題を解決するための手段】
【０００５】  図５で示すように、
（イ）筒１の上底２と下底３を貫く孔１１と孔１２を設ける。
（ロ）孔１１と孔１２は連結されていて、その断面形状は凸形である。
（ハ）孔１１は、釘打機２１の釘射出部２２の先端部２３が挿入できる形状である。
（ニ）孔１２は円柱形状で、釘射出部２２の釘射出口２４から射出された釘３１が移動できる位置に設ける。
本考案は、以上のごとく構成された、筒状の釘打ち込み深さ調整具である。
【考案の効果】
【０００６】  本考案により、次の効果を生む。
板３２に釘３１を打ち付ける場合、本考案を釘打機２１に取り付けることによって、打ち残し部分３４を設けて、釘３１を打ち込むことができるようになる。
本考案は、単に打ち残し部分３４を設けて、釘３１を打ち込むことができるだけではない。孔１２の円柱形状の高さ１３を長くすれば、釘３１の打ち込み深さが浅くなり（打ち残し部分３４が長くなる）、逆に、孔１２の円柱形状の高さ１３を短くすれば、釘の打ち込み深さが深くなる（打ち残し部分３４が短くなる）からである。これは、釘３１がピストン２５から離れれば離れる程、板３２に打ち込む力が弱まるためである。この原理を利用して、孔１２の円柱形状の高さ１３が異なる本考案を複数用意すれば、釘の打ち込み深さを希望する深さで実現できることになる。【０００７】  本考案を取り付ければ釘打機２１を使用することができ、造作サイディング３３等の仕上げ材に釘３１を打ち込んでも、打ち残し部分３４を生じることになる。そして、釘打機２１を使用した後は、打ち残し部分３４をハンマーで打ち付けていけば良い。
こうすれば、造作サイディング３３等の仕上げ材を窪ませない（傷つけない）ようにすることができ、かつ、釘３１をハンマーで１本ずつ打ち付けていくときの、釘３１を釘入れ袋から手で１本ずつ取り出す工程が省け、作業効率を高めることができる。【０００８】  本考案を取り付ければ釘打機２１を使用することができ、コンクリート型枠（パネル）の作製では、桟木と桟木を連結させる釘３１に打ち残し部分３４を設けることができ、かつ、解体作業に釘抜き具（バール）が使用しやすくなり、作業効率を高めることができる。
【考案を実施するための最良の形態】
【０００９】  以下、本考案を実施するための最良の形態を説明する。（図５）
（イ）筒１の上底２と下底３を貫く孔１１と孔１２を設ける。
（ロ）孔１１と孔１２は連結されていて、その断面形状は凸形である。
（ハ）孔１１は、釘打機２１の釘射出部２２の先端部２３が挿入できる形状である。
（ニ）孔１２は円柱形状で、釘射出部２２の釘射出口２４から射出された釘３１が移動できる位置に設ける。
本考案は以上の構成よりなっている。それを次に詳しく説明する。【００１０】  （イ）の「筒１の上底２と下底３を貫く孔１１と孔１２を設ける。」を説明する。
孔１１は、釘打機２１の釘射出部２２の先端部２３を挿入するためである。孔１２は、釘射出部２２の釘射出口２４から射出された釘３１を移動させるためである。【００１１】  （ロ）の「孔１１と孔１２は連結されていて、その断面形状は凸形である。」を説明する。
孔１１に、釘打機２１の釘射出部２２の先端部２３を挿入し、釘射出口２４から釘３１を射出する。当然ながら、釘射出部２２の先端部２３の大きさは、釘３１より大きいので、この形状になる。【００１２】  （ハ）の「孔１１は、釘打機２１の釘射出部２２の先端部２３が挿入できる形状である。」を説明する。
釘射出部２２やその先端部２３の形状はメーカによって異なるが、釘射出口２４から釘３１を射出する構造は共通している。
そこで、孔１１の形状は、釘打機２１の釘射出部２２の先端部２３が挿入できる形状にする。
つまり、釘射出部２２の先端部２３の形状が円柱状であれば、孔１１の形状は円柱形状にし、先端部２３の形状が角柱状であれば、孔１１の形状は角柱形状にする。【００１３】  （ニ）の「孔１２は円柱形状で、釘射出部２２の釘射出口２４から射出された釘３１が移動できる位置に設ける。」を説明する。
釘３１は、釘射出部２２の釘射出口２４から射出されるので、その釘３１がスムーズに安定して移動できる位置に孔１２を設けるようにし、孔１２の形状は円柱形状にする。【００１４】  次に、孔１１に釘射出部２２の先端部２３を挿入し易くし、孔１１から釘射出部２２の先端部２３が外れにくくする必要がある。
この方法として、次のものが考えられるが、１が望ましい。
１：孔１１の内壁と釘射出部２２の先端部２３の外壁との間に適度の摩擦を生じさせるため、本考案、あるいは、孔１１の内壁の材質を、やや弾力のある硬質性のプラスチックにする。
２：図示しないが、孔１１の内壁や釘射出部２２の先端部２３の外壁に粘着力の弱い粘着剤を施す。
３：図示しないが、釘射出部２２の先端部２３の材質が鉄の場合、孔１１に磁力が働くように、筒１の外側に磁石を設ける。
４：図示しないが、筒１の外側から孔１１に通じる孔を１以上設け、その孔に雌ネジを切り、孔１１に挿入した釘射出部２２の先端部２３を雄ネジで抑え付ける。
【使用例】
【００１５】  本考案は、次のように使用する。（図６）
１：孔１１に、釘打機２１の釘射出部２２の先端部２３を挿入する。
２：釘３１を打ちたい所に本考案の上底２を当てる。
３：釘打機２１の引き金（図示しない）を引く。
【他の実施例】
【００１６】  釘打機２１の中には、図７のように、安全装置である筒状プッシュレバー２６が、釘打機２１の釘射出部２２を覆う形状になっていて、筒状プッシュレバー２６を板に押し付けると、安全装置が解除されて引き金（図示しない）を引くことができるものがある。この様な筒状プッシュレバー２６が設けられている釘打機２１では、筒状プッシュレバー２６を孔１１に挿入すればよい。
【図面の簡単な説明】
【００２０】
【図１】は、打ち込み過ぎの釘の状態を示す側面断面図である。
【図２】は、打ち残し部分が生じた釘の状態を示す側面断面図である。
【図３】は、コンクリート型枠をベニヤ板と桟木で作製しようとしている斜視図である。
【図４】は、コンクリート型枠Ａ，Ｂ，Ｃを連結した正面図である。
【図５】は、本考案の側面断面図である。
【図６】は、本考案の使用例の側面断面図である。
【図７】は、本考案の他の実施例の側面断面図である。
【符号の説明】
【００３０】  １  筒    ２  上底    ３  下底    １１  孔    １２  孔
１３  孔１２の円柱形状の高さ    ２１  釘打機    ２２  釘射出部
２３  先端部    ２４  釘射出口    ２５  ピストン    ２６  筒状プッシュレバー
３１  釘    ３２  板    ３３  サイディング    ３４  打ち残し部分
３５  窪み（傷）    ４１  型枠Ａ    ４２  型枠Ｂ    ４３  型枠Ｃ
５１，５２，５３  ベニヤ板    ６１，６２，６３，６４，６５，６６  桟木
【図１】
0003114564.tif 000003
【図２】
0003114564.tif 000004
【図３】
0003114564.tif 000005
【図４】
0003114564.tif 000006
【図５】
0003114564.tif 000007
【図６】
0003114564.tif 000008
【図７】
0003114564.tif 000009